(57)【要約】【課題】送信側で周波数特性を変化させる場合がある状況下において、受信側で成り済まし接続を検出する。【解決手段】送信側装置から受信した情報が、期待する通信相手が送信した情報であるか否かを判定する通信装置が、前記期待する通信相手との間の伝送路の周波数特性と、前記期待する通信相手が適応的に変化させた周波数特性とを合成した周波数特性を、期待周波数特性として記憶する記憶手段と、前記受信した情報の周波数特性と、前記期待周波数特性とを比較し、該比較した両周波数特性が所定の度合い以上に似ていたならば、前記受信した情報が前記期待する通信相手から送信された情報であると判定する周波数特性判定手段と、を備える。【選択図】図５
2019071676.tif 000002
【特許請求の範囲】
【請求項１】
期待される通信相手となる通信装置から、期待される通信相手かを判定する通信装置へデータ通信を行う通信システムであって、
期待される通信相手となる通信装置は、
周波数特性補正情報と送信元識別情報と認証情報とフレーム別任意情報とフレームタイプ別に必要な情報を入力情報とし、
認証情報とフレーム別任意情報を暗号化する機能と、
前記暗号化された情報と周波数特性補正情報と送信元識別情報とフレームタイプ別に必要な情報からフレームを構成する機能と、
前記フレームを変調する機能と、
送信信号の周波数特性である送信信号周波数特性を補正するための係数である送信側周波数特性補正係数に従い前記送信信号の周波数特性を補正する機能と、
周波数特性補正選択情報に従い前記送信信号周波数特性を補正した前記送信信号か、補正されていない前記送信信号かを選択する機能と、
ＲＦの為の信号処理の機能と、
宛先識別情報を元に、宛先別に送信側周波数特性補正係数を記憶する送信側周波数特性補正係数記憶部を有し、
前記期待される通信相手かを判定する通信装置は、
受信信号をベースバンド信号処理する機能と、
前記ベースバンド信号処理した結果を復調する機能と、
前記変調に係る復調結果から前記送信信号周波数特性の補正が行われているか否かの情報を読み出す機能と、
前記復調結果から送信元識別情報を読み出す機能と、
前記復調結果から前記暗号化された認証情報を復号化する機能と、
復号化された認証情報を既知の認証情報と照合して、前記復調結果が前記期待される通信相手からの前記送信信号か否かを認証判定する機能を有する、
通信システム。
【請求項２】
前記期待される通信相手かを判定する通信装置は、
前記認証判定で、前記期待される通信相手からの通信信号であると判定でき、かつ、前記送信信号周波数特性の補正が行われているか否かの情報で前記送信信号の周波数特性の補正が行われていないという情報を得た場合に、
周波数特性を解析し、受信信号の周波数特性である受信信号周波数特性として伝送路の周波数特性情報を求める機能と、
信号対雑音比を推定する機能と、
前記送信側周波数特性補正係数を算出する機能と、
前記伝送路の周波数特性情報を前記送信側周波数特性補正係数に基づき、期待周波数特性情報を補正する機能と、
前記送信元識別情報と前記期待周波数特性情報を紐づけて記憶する機能と、
前記送信側周波数特性補正係数を前記期待される通信相手となる通信装置に、送信する機能を有する請求項１に記載の通信システム。
【請求項３】
前記期待される通信相手かを判定する通信装置は、
前記認証判定で、前記期待される通信相手からの通信信号と判定でき、かつ、前記送信信号周波数特性の補正が行われているか否かの情報で前記送信信号周波数特性の補正が行われているという情報を得た場合に、
周波数特性を解析し、受信信号の周波数特性である受信信号周波数特性として伝送路の周波数特性と前記送信信号周波数特性を合成した周波数特性を求める機能と、
前記送信元識別情報に紐づく期待周波数特性情報を読み出し、読みだした前記期待周波数特性情報と前記受信信号周波数特性と比較し、前記比較した特性が似ているか否かを判定する機能と、
前記比較した特性が似ていると判定されたときに、前記復調した結果が前記期待される通信相手からの前記送信信号と判定する機能を有する請求項１に記載の通信システム。
【請求項４】
前記期待される通信相手となる通信装置は、前記期待される通信相手かを判定する通信装置が期待周波数特性情報を得るために、既知の送信周波数特性の前記送信信号を送信する機能を有する請求項１に記載の通信システム。
【請求項５】
前記期待される通信相手かを判定する通信装置は、前記送信側周波数特性補正係数を前記期待される通信相手となる通信装置に送信する機能を有し、
前記期待される通信相手かを判定する通信装置は、複数の前記期待される通信相手となる通信装置毎に分別して、前記送信側周波数特性補正係数を記憶する機能を有する、請求項１に記載の通信システム。
【請求項６】
前記期待される通信相手となる通信装置が、送信側周波数特性補正係数に従い前記送信信号周波数特性を補正する機能を有することを特徴とする、請求項１に記載の通信システム。
【請求項７】
前記期待される通信相手となる通信装置は、任意のデータフレームを送信する機能を有する請求項１に記載の通信システム。
【請求項８】
前記期待される通信相手となる通信装置は、規定時間や、規定する任意のデータフレームの送信回数、前記期待される通信相手となる通信装置からの指示を契機に、
再度、
前記認証判定で、前記期待される通信相手からの通信信号と判定でき、かつ、前記送信信号周波数特性の補正が行われているか否かの情報で前記送信信号周波数特性の補正が行われているという情報を得た場合に、
周波数特性を解析し、前記受信信号周波数特性として前記伝送路の周波数特性と前記送信信号周波数特性を合成した周波数特性を求め、
前記送信元識別情報に紐づく前記期待周波数特性情報を読み出し、読みだした前記期待周波数特性情報と前記受信信号周波数特性と前記比較し、前記比較した特性が似ているか否かを判定し、
前記比較した特性が似ていると判定されたときに、前記復調した結果が前記期待される通信相手からの前記送信信号と判定する、
機能、を有する請求項３に記載の通信システム。
【発明の詳細な説明】
【技術分野】
【０００１】
本発明は、通信を行う為の、通信装置、通信システム及び通信プログラムに関する。
【背景技術】
【０００２】
通信においては、通信品質を良好とすることに加えて、通信相手の「成り済まし」を排除することも重要となる。
【０００３】
ここで、通信品質を表す指標の１つである通信の受信側における信号対雑音比を改善させる技術が特許文献１に開示されている。特許文献１に開示されている技術では、注水定理を用い送信信号の周波数特性を適応的に変化させて通信することによって、信号対雑音比を改善させる。
【０００４】
また、通信相手の成り済ましを排除するために、通信に関する情報に基づいて成り済まし接続を検出する技術が特許文献２に開示されている。特許文献１に開示されている技術では、受信信号から得られる伝送路固有の特性である伝送路の周波数特性を利用して、成り済まし接続の検出を行っている。
【先行技術文献】
【特許文献】
【０００５】
【特許文献１】特開２００４−２６６５８５号公報
【特許文献２】特開２００３−２２４５３３号公報
【発明の概要】
【発明が解決しようとする課題】
【０００６】
次に、上述した特許文献１に記載の信号対雑音比を改善させる方法で通信を行う場合に、上述した特許文献２に記載の成り済まし検出方法を適用する場合について検討する。仮にこれらの技術を組み合わせることができれば、信号対雑音比の改善及び成り済まし接続の検出の双方を実現することができるからである。
【０００７】
しかしながら、特許文献１の技術では、受信信号の周波数特性は、伝送路の周波数特性のみならず、伝送路の周波数特性に更に送信側で適応的に変化させた周波数特性が加わった周波数特性になる。そのため、伝送路の周波数特性のみに基づいて成り済まし接続を検出する特許文献２に記載の技術を適用することはできない。
【０００８】
そこで本発明は、送信側で周波数特性を変化させる場合がある状況下において、受信側で成り済まし接続を検出する為の、通信装置、通信システム及び通信プログラムを提供することを目的とする。
【課題を解決するための手段】
【０００９】
本発明の第１の観点によれば、送信側装置から受信した情報が、期待する通信相手が送信した情報であるか否かを判定する通信装置であって、前記期待する通信相手との間の伝送路の周波数特性と、前記期待する通信相手が適応的に変化させた周波数特性とを合成した周波数特性を、期待周波数特性として記憶する記憶手段と、前記受信した情報の周波数特性と、前記期待周波数特性とを比較し、該比較した両周波数特性が所定の度合い以上に似ていたならば、前記受信した情報が前記期待する通信相手から送信された情報であると判定する周波数特性判定手段と、を備えることを特徴とする通信装置が提供される。
【００１０】
本発明の第２の観点によれば、送信側装置から受信した情報が、期待する通信相手が送信した情報であるか否かを判定する通信装置が行う判定方法であって、前記期待する通信相手との間の伝送路の周波数特性と、前記期待する通信相手が適応的に変化させた周波数特性とを合成した周波数特性を、期待周波数特性として記憶する記憶ステップと、前記受信した情報の周波数特性と、前記期待周波数特性とを比較し、該比較した両周波数特性が所定の度合い以上に似ていたならば、前記受信した情報が前記期待する通信相手から送信された情報であると判定する周波数特性判定ステップと、を行うことを特徴とする通信装置が提供される。
【００１１】
本発明の第３の観点によれば、送信側装置から受信した情報が、期待する通信相手が送信した情報であるか否かを判定する通信装置としてコンピュータを機能させるための通信プログラムであって、前記期待する通信相手との間の伝送路の周波数特性と、前記期待する通信相手が適応的に変化させた周波数特性とを合成した周波数特性を、期待周波数特性として記憶する記憶手段と、前記受信した情報の周波数特性と、前記期待周波数特性とを比較し、該比較した両周波数特性が所定の度合い以上に似ていたならば、前記受信した情報が前記期待する通信相手から送信された情報であると判定する周波数特性判定手段と、を備える通信装置として前記コンピュータを機能させることを特徴とする通信プログラムが提供される。
【発明の効果】
【００１２】
本発明によれば、送信側で周波数特性を変化させる場合もある状況下において、受信側で成り済まし接続を検出することが可能となる。
【図面の簡単な説明】
【００１３】
【図１】本発明の実施形態全体の基本的構成を表す図である。
【図２】本発明の実施形態におけるフレームの送受信を表すシーケンス図である。
【図３】本発明の実施形態におけるフレームの構成を表すシーケンス図である。
【図４】本発明の実施形態における送信処理部の構成を表すシーケンス図である。
【図５】本発明の実施形態における受信処理部の構成を表すシーケンス図である。
【図６】本発明の実施形態の第１の実施例の基本的構成を表す図である。
【図７】本発明の実施形態の第１の実施例における送信処理部の構成を表すシーケンス図である。
【図８】本発明の実施形態の第１の実施例における受信処理部の構成を表すシーケンス図である。
【発明を実施するための形態】
【００１４】
まず、本発明の実施形態の概略を説明する。本発明の実施形態は、受信した情報が、成り済ましを行っていない正しい通信相手、すなわち、期待される通信相手から送られた情報か否かを確認する機能を有する通信システムに関する。
【００１５】
本通信システムでは、受信側で受信信号の周波数特性に基づいて、成り済ましを検出する。そのために、受信側では、期待される通信相手からの受信信号の周波数特性を期待値として保持しておき、この保持している周波数特性の期待値と、受信した信号の周波数特性とが近似しているのであれば成り済ましではないと判定して、近似していないのであれば成り済ましであると判定する。つまり、成り済ましを検出する。
【００１６】
ここで、本実施形態では、通信品質を改善させることを目的として、送信側で周波数特性を適応的に変化させるという処理も行う。そのため、受信側では、伝送路の周波数特性を期待値とするのみならず、伝送路の周波数特性と送信側で適応的に変化させた周波数特性を合せた周波数特性を期待値として保持し、成り済ましを検出可能とする。以上が本実施形態の概略である。
【００１７】
次に、本発明の実施形態について図面を参照して詳細に説明する。
【００１８】
まず、図１を参照して、本実施形態である通信システム１０００の構成について説明をする。図１を参照すると、通信システム１０００は、第１通信装置１及び第２通信装置２を含む。通信システム１０００は、このように最低２つの通信装置によりネットワークを構成するシステムである。
【００１９】
第１通信装置１及び第２通信装置２は、それぞれが無線通信機能を有する通信装置であり、第１通信装置１及び第２通信装置２は、相互に情報を送受信する。第１通信装置１及び第２通信装置２は、具体的にどのような通信装置で実現してもよい。なお、以下の説明において第１通信装置１及び第２通信装置２を特に特定することなく呼ぶ場合には、単に「通信装置」と呼ぶ。
【００２０】
これら第１通信装置１及び第２通信装置２は、同じ構成である。具体的には、第１通信装置１及び第２通信装置２は、それぞれが、制御部１００、送信処理部２００及び受信処理部３００を含む。
【００２１】
制御部１００は、通信装置全体（第１通信装置１の制御部１００であれば第１通信装置１の全体を意味し、第２通信装置２の制御部１００であれば第２通信装置２の全体を意味する）の制御を行う部分である。
【００２２】
制御部１００は、例えば、ＣＰＵ（Ｃｅｎｔｒａｌ  Ｐｒｏｃｅｓｓｉｎｇ  Ｕｎｉｔ）等の演算処理装置と、ＲＯＭ（ｒｅａｄ  ｏｎｌｙ  ｍｅｍｏｒｙ）やＲＡＭ（Ｒａｎｄｏｍ  Ａｃｃｅｓｓ  Ｍｅｍｏｒｙ）といった記憶装置の組み合わせにより実現される。そして、ＣＰＵがＲＯＭに格納されたソフトウェアを読み込み、ＲＡＭに展開させながらソフトウェアに基づいた演算処理を行い、演算処理の結果に基づいて通信装置（第１通信装置１の制御部１００であれば第１通信装置１を意味し、第２通信装置２の制御部１００であれば第２通信装置２を意味する）に含まれる各ハードウェアを制御することにより、表示端末１００全体の制御は実現される。
【００２３】
また、制御部１００は、通信装置（第１通信装置１の制御部１００であれば第１通信装置１を意味し、第２通信装置２の制御部１００であれば第２通信装置２を意味する）内に含まれる送信処理部２００及び受信処理部３００と情報をやり取りする。
【００２４】
送信処理部２００は、制御部１００が生成した情報に基づいてフレームを構成し、構成したフレームに対して所定の処理を行ってから、制御部１００が指定した通信相手に対してフレームを送信する部分である。
【００２５】
一方で、受信処理部３００は、通信相手から受信したフレームに含まれる情報に基づいて、通信相手が期待する通信相手であるかを判定すると共に、受信したフレームから取得した情報を制御部１００対して出力する部分である。
【００２６】
なお、送信処理部２００及び受信処理部３００に含まれる機能ブロックについては、図４及び図５を参照して後述する。
【００２７】
また、以下では、第１通信装置１が任意のデータを送信する送信側となり、第２通信装置２が受信側となって第１通信装置が期待する通信相手であるかを判定する場合の処理を例に取って説明をする。この点、上述したように第１通信装置１及び第２通信装置２は、同じ構成である。そのため、受信側、送信側の立場が入れ替わってもよい。つまり、第２通信装置２が任意の情報を送信する送信側となり、第１通信装置１が受信側となって第２通信装置が期待する通信相手であるかを判定するようにしてもよい。また、送信側と受信側を交互に入れ替えるようにしてもよい。
【００２８】
次に、図２のシーケンス図を参照して、第１通信装置１が、第２通信装置２に対して任意の情報を送る場合の動作について説明する。
【００２９】
まず、第１通信装置１は、第２通信装置２に対して、第２通信装置２が第１通信装置１を認証する為のフレームである認証フレームを送信する（ステップＡ１）。
【００３０】
認証フレームを受信した第２通信装置２は、認証フレームに基づいて認証を行う。この点、認証に失敗したならば、第１通信装置１は成り済ましであると判定し、以下の処理を行なわない。認証に成功した場合には、第２通信装置２は、第１通信装置１に対し、認証応答フレームを送信する（ステップＡ２）。
【００３１】
認証応答フレームを受信した第１通信装置１は、任意データを送信できる状態になったことを認識する（ステップＡ３）。
【００３２】
任意データを送信できる状態にある第１通信装置１は、任意データ送信契機が到来したこと（ステップＡ４）をきっかけに任意データを含ませたフレームの送信を開始する（ステップＡ５）。
【００３３】
その後、第１通信装置１は、任意データを含ませたフレームの送信を繰り返すが、第１通信装置１は、再認証契機が到来したこと（ステップＡ６）をきっかけに、再度、第２通信装置２が第１通信装置１を認証する為のフレームである認証フレームを送信する。そして、第２通信装置２はステップＡ７において受信した認証フレームに基づいた認証を行う。この点、認証に失敗したならば、第１通信装置１は成り済ましであると判定し、以下の処理を行なわない。認証に成功した場合には、第２通信装置２及び第１通信装置１は、ステップＡ２以後と同様の処理を繰り返す。
【００３４】
つまり、本実施形態では、周期的に認証を行い、認証に成功したのならば、任意のデータを含ませたフレームを受信するという処理を繰り返す。なお、動作上、ステップＡ７において送信される認証フレームは、ステップＡ１において送信される認証フレームと同じものである。
【００３５】
なお、ステップＡ６は任意データフレームを一度送信すると到来するようにしてもよいが、そのようにすると認証処理が煩雑になりすぎるので、図中に示すように任意データフレームを所定回数送信するとステップＡ６が到来するようにしてもよい。また、ステップＡ１及びステップＡ２を行ってから、所定の時間が経過したならばステップＡ６が到来するようにしてもよい。更に、受信側の通信装置（図の例では、第２通信装置２）からの指示によりステップＡ６が到来するようにしてもよい。
【００３６】
次に、図３を参照して、本実施形態において第１通信装置１及び第２通信装置２間で送受信されるフレームのフレーム構成について説明する。
【００３７】
図３の最下段に示すように、本実施形態のフレーム全体ｆ１０は、自フレームの特性等を表す情報であるフレーム情報ｆ１１として、周波数特性補正有無情報ｆ１と、送信元識別情報ｆ２と、認証情報ｆ３と、フレーム毎の任意情報ｆ４を含む。更に、フレーム全体ｆ１０は、その他にフレームタイプ別に必要な情報ｆ５を含む。以下、これらの情報について説明をする。
【００３８】
周波数特性補正有無情報ｆ１は、送信側で周波数特性を補正して送信したか否かを受信側に通知する為の情報である。例えば、送信側で周波数特性補正を行った場合には「１」を設定し、周波数特性補正を行わなかった場合には「０」を設定するなどすることによって、周波数特性補正の有無を受信側で識別できるように情報を設定する。
【００３９】
送信元識別情報ｆ２は、フレームを送信した送信元の通信装置を、フレームの受信先で識別するための情報である。送信元識別情報ｆ２としては、送信元の通信装置固有の情報を用いる。そのために、各通信装置には異なる送信元識別情報を予め設定しておく。
【００４０】
認証情報ｆ３は、ネットワークに参加する為の固有の情報であり、各通信装置には予め設定する情報である。受信側の通信装置は、送信側の通信装置がフレームに含ませた認証情報に基づいて、送信側の通信装置をネットワークに参加させるか否か、すなわち、送信側の通信装置との通信を継続するか否かを決定する。
【００４１】
フレーム毎の任意情報ｆ４は、暗号化対象ｆ１２の暗号化の効果を得るための情報であり、フレームを送信する毎に設定される情報である。フレーム毎の任意情報ｆ４としては、例えば、フレームの送信された順番を示すカウンタ値やフレーム毎にランダム値を設定する。
【００４２】
フレームタイプ別に必要な情報ｆ５は、上記に述べた情報以外で送るべき情報である。
特に、フレームのタイプが、図２のステップＡ２において送信する認証応答フレームであるならば、送信側で行う周波数特性補正の為の周波数特性補正係数をフレームタイプ別に必要な情報ｆ５として持つ。また他にも、例えば、フレームのタイプが、図２のステップＡ５において送信する任意データフレームであるならば、任意のデータを、フレームタイプ別に必要な情報ｆ５として持つ。
【００４３】
フレームにおいては、図３に暗号化対象ｆ１２として示すように、認証情報ｆ３及びフレーム毎の任意情報ｆ４を暗号化の対象とする。
【００４４】
次に、図４を参照して、各通信装置に含まれる送信処理部２００に含まれる機能ブロックについて説明する。
【００４５】
送信処理部２００は、結合部２０１と認証情報暗号化部２０２とフレーム構成部２０３と変調部２０４と送信側周波数特性補正係数記憶部２０５と周波数特性補正部２０６と選択器２０７とＲＦの為の信号処理部２０８を含む。
【００４６】
送信処理部２００は、制御部１００が入力する、周波数特性補正有無情報ｆ１と送信元識別情報ｆ２と認証情報ｆ３とフレーム別の任意情報ｆ４とフレームタイプ別に必要な情報ｆ５を、フレームを構成するための入力情報とする。
【００４７】
結合部２０１は、認証情報ｆ３とフレーム別の任意情報ｆ４を結合する部分である。
【００４８】
認証情報暗号化部２０２は、結合部２０１が結合した認証情報とフレーム別任意情報認証情報の暗号化を行うものである。
【００４９】
フレーム構成部２０３は、認証情報暗号化部２０２により上記暗号化された情報と周波数特性補正有無情報ｆ１と送信元識別情報ｆ２とフレームタイプ別に必要な情報ｆ５より、フレームを構成する。なお、フレームの具体的な構成については図３を参照して上述した通りである。
【００５０】
変調部２０４は、振幅位相変調方式を採用する変調器である。変調部２０４は、フレーム構成部２０３が構成したフレームを振幅位相変調方式により変調する。
【００５１】
送信側周波数特性補正係数記憶部２０５と、周波数特性補正部２０６は、周波数特性補正を行うための部分である。送信側周波数特性補正係数記憶部２０５には、制御部１００から、送信側周波数特性補正係数ｄ１及び宛先識別情報ｄ２が入力される。
【００５２】
送信側周波数特性補正係数記憶部２０５は、周波数特性補正を行うための係数である、送信側周波数特性補正係数ｄ１を記憶する部分である。送信側周波数特性補正係数ｄ１は、送信先、すなわち、宛先とした受信側の通信装置から、図２において説明した認証応答フレームＡ２に含まされて通知される。そして、通知された送信側周波数特性補正係数ｄ１が、送信側周波数特性補正係数記憶部２０５に入力される。
【００５３】
ここで、送信時に利用すべき送信側周波数特性補正係数ｄ１は、送信先、すなわち、宛先となる通信装置毎に異なる。そのため、送信側周波数特性補正係数記憶部２０５は、宛先となる通信装置を識別するための宛先識別情報ｄ２と、この宛先識別情報ｄ２に対応する送信側周波数特性補正係数ｄ３とを紐付けて予め記憶している。
【００５４】
そして、送信側周波数特性補正係数記憶部２０５は、今回宛先となる通信装置の宛先識別情報ｄ２を入力されると、この宛先識別情報ｄ２に対応する送信側周波数特性補正係数ｄ３を特定して周波数特性補正部２０６に出力する。
【００５５】
周波数特性補正部２０６は、変調部２０４がフレームを変調することにより生成した送信信号の周波数特性を補正する部分である。周波数特性補正部２０６は、図２のステップＡ２において受信側となる通信相手から送られる認証応答フレームで指定される送信側周波数特性補正係数ｄ１に従い周波数特性の補正を行う。なお、そのためには、上述したように送信側周波数特性補正係数記憶部２０５が、受信した送信側周波数特性補正係数ｄ１を記憶しておき、宛先情報ｄ２に基づいて、宛先となる通信装置に対応する送信側周波数特性補正係数ｄ１を周波数特性補正部２０６に対して適宜出力する。
【００５６】
選択器２０７は、周波数特性補正有無情報ｆ１に従い、周波数特性補正部２０６により周波数特性が形成された信号か、形成されていない信号かを選択するものである。この選択の為に、制御部１００は、例えば周波数特性補正を行うフレームについては周波数特性補正有無情報ｆ１を「１」とし、周波数特性補正を行なわないフレームについては周波数特性補正有無情報ｆ１を「０」として、この周波数特性補正有無情報ｆ１を、フレーム構成部２０３及び変調部２０４に対して出力する。つまり、本実施形態では、宛先となる受信側通信装置に応じて、送信側周波数特性補正係数記憶部２０５が異なるのみならず、宛先となる受信側通信装置に応じて、周波数特性補正を行う場合も行なわなない場合もある。
【００５７】
ＲＦの為の信号処理部２０８は、選択器２０７が選択した送信信号の周波数を搬送波周波数帯域へ変換することにより送信信号ｄ３を得る為の部分である。得られた送信信号ｄ３は、送信側の通信装置に対して送信される。このようにして、制御部１００の出力に基づいて図３のように構成されたフレームは、変調等の処理を経ると共に、周波数特性補正を行なわれて又は行なわれることなく、送信信号ｄ３として、送信側の通信装置に対して送信される。
【００５８】
次に、図５を参照して、各通信装置に含まれる受信処理部３００に含まれる機能ブロックについて説明する。
【００５９】
なお、受信処理部３００は、送信処理部２００に比較してより複雑な構成をしているため、説明の理解を容易とするべく、図４においては、各機能ブロックのみならず、各機能ブロック間で入出力される情報にも符号を付して説明をする。
【００６０】
受信処理部３００は、ベースバンド信号処理部３０１と復調部３０２と復調後情報選択部３０３と周波数特性解析判定部３１０とフレーム情報解析判定部３２０とを含む。
【００６１】
ベースバンド信号処理部３０１は、受信信号ｄ４の入力を受け付ける。なお、図示しているように受信信号ｄ４は、送信処理部２００が送信した送信信号ｄ３が伝送路を経由して到来した信号である。
【００６２】
ここで、「伝送路」について考える。本実施形態で行なわれているような無線通信の場合、伝送路とは通信装置間の電波が飛ぶ空間のことを指すことが一般的である。そして、この通信装置間の電波が飛ぶ空間において、例えばマルチパスの影響により周波数特性が変化をする。これを伝送路における周波数特性と考えることも可能である。
【００６３】
しかしながら、実際には送信側装置や受信側装置におけるアンテナやＲＦ回路等といった各通信装置の物理的な構成要素（図示を省略する）も周波数特性に影響を及ぼすこととなる。つまり、伝送路における周波数特性とは、厳密には、通信装置間の電波が飛ぶ空間における影響と各通信装置が備える物理的な構成による影響との双方の影響に基づいた周波数特性と考えることができる。
【００６４】
この点、本実施形態では、後述の周波数特性解析部３１１が伝送路における周波数特性を求める。そのため、より厳密には、周波数特性解析部３１１に信号が入力されるまでの経路が伝送路であると考えることができる。このように考えた場合、正確には、受信信号ｄ４は、送信処理部２００が送信した送信信号ｄ３が伝送路の「一部」を経由して到来した信号である。
【００６５】
ベースバンド信号処理部３０１は、入力された受信信号ｄ４の搬送波周波数帯域をベースバンド周波数に変換する。変換後の信号は、ベースバンド信号ｄ５として、復調部３０２と周波数特性解析判定部３１０とフレーム情報解析判定部３２０とに出力される。
【００６６】
復調部３０２は、ベースバンド信号処理ｄ５の振幅、位相等の情報から元の情報を得る処理である。元の情報とは、図４の変調部２０４の入力信号に相当するもの、すなわち、フレーム構成部２０３で構成されたフレームである。得られた元の情報は、復調後情報ｄ６として、復調後情報選択部３０３及びフレーム情報解析部３２０に対して出力される。
【００６７】
復調後情報選択部３０３は、復調部３０２の出力である復調後情報ｄ６が有効か否かを選択するものである。復調後情報ｄ６が有効か否かとは、すなわち、送信側の通信装置が成り済まし接続を行っていると判定されたか否かを意味する。具体的には、以下のようにして判定が行われる。
【００６８】
復調後情報選択部３０３は、復調後情報ｄ６が有効か否かを選択する為に、認証情報判定結果ｄ１５と周波数特性補正有無情報ｄ１１と周波数特性判定結果ｄ１６の３つのデータを用いる。
【００６９】
そして、復調後情報選択部３０３は、認証情報判定結果ｄ１５が否である場合は、送信側の通信装置が成り済まし接続を行っている可能性があるため復調後情報ｄ６を廃棄する。
【００７０】
また、復調後情報選択部３０３は、認証情報判定結果ｄ１５が正しい、且つ周波数特性補正有無情報ｄ１１が無の場合は、送信側の通信装置が成り済まし接続を行っている可能性はないと考えられるため周波数特性判定結果ｄ１６に結果に問わず、復調後情報ｄ６が有効な情報と判断し、復調後情報ｄ６を受信情報ｄ１７として復調後情報ｄ６を出力する。
【００７１】
更に、復調後情報選択部３０３は、認証情報判定結果ｄ１５が正しい、且つ周波数特性補正有無情報ｄ１１が有の場合、周波数特性判定結果ｄ１６に従い復調後情報ｄ６の正否を判断する。具体的には、周波数特性判定結果ｄ１６が正であれば復調後情報ｄ６が正であると判断し、周波数特性判定結果ｄ１６が否であれば復調後情報ｄ６が否であると判断する。
【００７２】
そして、復調後情報ｄ６の正否が、正の場合は送信側の通信装置が成り済まし接続を行っている可能性はないと考えられるため受信情報ｄ１７として復調後情報ｄ６を出力する。一方で、復調後情報ｄ６の正否が、否の場合は送信側の通信装置が成り済まし接続を行っている可能性があるため復調後情報ｄ６を廃棄する。
【００７３】
次に、周波数特性解析判定部３１０について説明する。周波数特性解析判定部３１０は、上記の周波数特性判定結果ｄ１６を出力する部分である。
【００７４】
周波数特性解析判定部３１０は、周波数特性解析部３１１と周波数特性判定部３１２と期待周波数特性情報補正部３１３と期待周波数特性情報記憶部３１４と信号対雑音比算出部３１５と送信側周波数特性補正係数算出部３１６とを含む。
【００７５】
周波数特性解析部３１１は、ベースバンド信号ｄ５から周波数特性情報を解析するものである。具体的には、ＦＦＴ（Ｆａｓｔ  Ｆｏｕｒｉｅｒ  Ｔｒａｎｓｆｏｒｍ）等の周波数解析方法で周波数毎に振幅と位相の特性を解析する方法がある。他には、復調処理より得られる等化器の係数を参照することで時間軸の振幅と位相の特性を解析結果とする方法がある。解析結果は、周波数特性情報ｄ７として周波数特性判定部３１２及び期待周波数特性情報補正部３１３に対して出力される。
【００７６】
周波数特性判定部３１２は、周波数特性情報ｄ７と、期待される周波数特性情報である期待周波数特性情報ｄ８とを比較し、比較した両者の周波数特性が似ているか判定するものである。そして、周波数特性判定部３１２は、その判定結果として、復調後情報選択部３０３で復調後データの有効か否かを選択する為の周波数特性判定結果ｄ１６を出力する。具体的には、比較した両者の周波数特性が似ているのであれば周波数特性判定結果ｄ１６を正として出力する。一方で、比較した両者の周波数特性が似ていないのであれば周波数特性判定結果ｄ１６を否として出力する。
【００７７】
比較の方法としては、周波数特性情報ｄ７と期待周波数情報ｄ８の時間毎や周波数毎に振幅情報、位相情報をもつ系列に関し相互相関関数を用いて似ている度合を算出し、算出した度合いが、予め決定する閾値以上の値を示した場合に比較結果が似ていると判定する。他の比較方法としては、周波数特性情報ｄ７と期待周波数情報ｄ８の時間毎や周波数毎に振幅情報、位相情報をもつ系列同士のユークリッド距離を算出し、算出したユークリッド距離が、予め決定する閾値以下の値を示した場合に比較結果が似ていると判定する。
【００７８】
期待周波数特性情報補正部３１３は、周波数特性解析部３１１によって得られた周波数特性情報ｄ７を、送信側周波数特性補正係数算出部３１６で得られた送信側周波数特性補正係数ｄ１０で補正するものである。補正により得られた期待周波数特性情報ｄ８は、期待周波数特性情報３１４に対して出力される。
【００７９】
期待周波数特性情報補正部３１３の計算方法について説明する。周波数特性情報ｄ７と期待周波数特性情報ｄ８と送信側周波数特性補正係数ｄ１０とを周波数領域の情報として扱う場合は、周波数特性情報ｄ７と送信側周波数特性補正係数ｄ１０の系列を各周波数成分同士で乗算すればよい。周波数特性情報ｄ７と期待周波数特性情報ｄ８と送信側周波数特性補正係数ｄ１０とを時間領域の情報として扱う場合は、周波数特性情報ｄ７と送信側周波数特性補正係数ｄ１０の系列を畳み込み積分すればよい。
【００８０】
期待周波数特性情報記憶部３１４は、伝送路の周波数特性と送信側周波数特性補正による周波数特性を合わせた期待周波数特性情報ｄ８を記憶するものである。
【００８１】
ここで、期待周波数特性情報ｄ８は、受信信号ｄ４の送信元、すなわち、送信側装置毎に異なる。そのため、期待周波数特性情報記憶部３１４は、送信側の固有情報である送信元識別情報ｄ１２（図３における送信元識別情報ｆ２に相当）と、この送信元識別情報ｄ１２に対応する期待周波数特性情報ｄ８とを紐付けて予め記憶している。
【００８２】
そして、期待周波数特性情報記憶部３１４は、周波数特性補正有無情報１１が有の場合に、今回の送信側装置の送信元識別情報ｄ１２を入力されると、この送信元識別情報ｄ１２に対応する期待周波数特性情報ｄ８を特定して周波数特性判定部３１２に出力する。このようにすることにより、複数の通信装置間でネットワークを構成する場合でも、送信元別に期待周波数特性情報を管理することができる。
【００８３】
信号対雑音比算出部３１５は、ベースバンド信号ｄ５の信号対雑音比である信号対雑音比ｄ９を計算するものである。この信号対雑音比算出部３１５は、ベースバンド信号の帯域幅を一定の数で分解した周波数毎の信号対雑音比の計算を実施する。
【００８４】
送信側周波数特性補正係数算出部３１６は、信号対雑音比算出部３１５が算出した信号対雑音比ｄ９に基づいて、図４の周波数特性補正部２０６と期待周波数特性情報補正部３１３で周波数特性を補正する為に使用する送信側周波数特性補正係数ｄ１０を算出するものである。例えば、特許文献１に記載のように注水定理を用いることにより、送信信号の周波数特性が適応的に変化して、信号対雑音比ｄ９が改善するような補正係数を送信側周波数特性補正係数ｄ１０として算出する。算出された送信側周波数特性補正係数ｄ１０は、期待周波数特性情報記憶部３１４に出力する。また、それのみならず算出された送信側周波数特性補正係数ｄ１０は、制御部１００及び送信処理部２００により、図２において説明した認証応答フレームＡ２に含まされて送信側装置に送信される。なお、制御部１００は、認証情報判定部３２４による認証に成功した場合に、算出した送信側周波数特性補正係数ｄ１０を送信側装置に送信し、認証に失敗した場合には、算出した送信側周波数特性補正係数ｄ１０を送信側装置に送信しないようにするとよい。ここで、制御部１００は、復調後情報選択部３０３から受信情報ｄ１７が入力された場合に認証情報判定部３２４による認証に成功したと判断することができる。
【００８５】
かかる、送信側周波数特性補正係数ｄ１０は、図４の送信側装置の送信側周波数特性補正係数記憶部２０５に対して送信側周波数特性補正係数ｄ１として入力される。
【００８６】
次に、フレーム情報解析判定部３２０について説明する。フレーム情報解析判定部３２０は、認証情報判定結果ｄ１５等を出力する部分である。
【００８７】
ここで、フレーム情報解析判定部３２０は、周波数特性補正有無情報読出部３２１と送信元識別情報読出部３２２と認証情報暗号復号化部３２３と認証情報判定部３２４とを含む。
【００８８】
周波数特性補正有無情報読出部３２１は、図３の周波数特性補正有無情報ｆ１を読み出すものである。読み出した結果、周波数特性補正が行われているのであれば、周波数特性補正有無情報ｄ１１を有として出力する。一方で、周波数特性補正が行われていないのであれば、周波数特性補正有無情報ｄ１１を無として出力する。
【００８９】
送信元識別情報読出部３２２は、図３の送信元識別情報ｆ２を読み出すものである。読み出した送信元識別情報ｆ２の内容は、送信元識別情報ｄ１２として出力する。
【００９０】
認証情報暗号復号化部３２３は、図４の認証情報暗号化部２０２で暗号化された情報を復号するものである。複合のためには、図４の認証情報暗号化部２０２で暗号化するのに用いる鍵と同じ鍵、すなわち、共通鍵を生成する仕組みを用意する。そして、認証情報暗号復号化部３２３は、共通鍵を用いて複合を行う。あるいは、図４の認証情報暗号化部２０２において公開鍵にて暗号化を行い、認証情報暗号復号化部３２３が秘密鍵にて複合を行う。複合により復調後情報ｄ６から図３の認証情報ｆ３が得られる。復調後情報ｄ６から得られた認証情報ｆ３は、復号取得認証情報ｄ１３として認証情報判定部３２４に対して出力される。
【００９１】
認証情報判定部３２４は、復号取得認証情報ｄ１３と、予め設定される認証情報ｄ１４とを照らし合わせることにより、認証情報の正否を判定するものである。照らし合わせた結果、両者が一致したならば、認証情報判定結果ｆ１５を正として出力する。一方で、照らし合わせた結果、両者が一致しなかったならば、認証情報判定結果ｆ１５を否として出力する。
【００９２】
以上説明した、各機能ブロックが協働することにより、受信側装置において受信した受信信号ｄ４が期待される通信装置から送信されたものであるか否かを判定することができる。つまり、成り済まし接続を検出することができる。また、この判定により、成り済まし接続が検出されたならば、成り済まし接続された通信装置から受信した受信信号ｄ４を廃棄することができる。
【００９３】
更に、送信側において周波数特性を適用的に変化させることにより信号対雑音比を改善することも可能となる。
【実施例１】
【００９４】
次に、上述した実施形態を変形した実施例１について図６を参照して説明を行う。図６を参照すると、本実施例である通信システム１００１は、上述した通信システム１０００と同様に、第１通信装置１及び第２通信装置２を含む。また、通信システム１００１は、それ以外にも、第３通信装置３から第Ｎ通信装置Ｎ（Ｎは任意の自然数）までを含む。そして、第１通信装置１から第Ｎ通信装置Ｎ（Ｎは任意の自然数）までは、それぞれが他の通信装置との間で通信を行う。つまり、本実施例は上述の実施形態を、Ｎ対Ｎのネットワーク構成に適用した実施例である。なお、図６中では、各通信装置内部の、制御部１００、送信処理部２００及び受信処理部３００については図示を省略する。
【００９５】
このような構成を取った場合であっても、送信側周波数特性補正係数記憶部２０５は、宛先識別情報ｄ２に対応する送信側周波数特性補正係数を出力することができる。そのため、Ｎ台の各通信装置に応じた送信側周波数特性補正係数を利用することができる。また、送信元識別情報読出部３２２にて送信元識別情報を読み出し、読み出した送信元識別情報ｄ１２に対応する期待周波数特性を、期待周波数特性情報記憶部３１４から出力することができる。そのため、Ｎ台の各通信装置に応じた期待周波数特性を利用することができる。
【００９６】
従って、本実施例のようなＮ対Ｎのネットワーク構成であっても上述した実施形態と同様の処理を行うことが可能となる。
【実施例２】
【００９７】
次に実施例２について、図７及び図８を参照して説明を行う。本実施例は直交周波数多重方式による通信を行う通信装置に上述の実施形態を適用した実施例である。本実施例は、上述した実施形態のような通信システム１０００に適用してもよく、上述した実施例のような通信システム１００１に適用してもよい。
【００９８】
ここで、本実施例における各通信装置は、送信処理部２００に代えて、送信処理部２００ａを含んでいるものとする。この点、図７に示すように送信処理部２００ａは、送信処理部２００の構成に加えて、更にＩＦＦＴ２５０を含んでいる点で相違する。また、その他の各機能ブロックは符号の文末に「ａ」が付されているが、基本的に送信処理部２００に含まれる同名の機能ブロックと同等の動作を行う。以下では、送信処理部２００ａの、送信処理部２００とは異なる動作及びＩＦＦＴ２５０について説明をし、送信処理部２００と相違しない部分については、重複説明となるので説明を省略する。
【００９９】
また、本実施例における各通信装置は、受信処理部３００に代えて、受信処理部３００ａを含んでいるものとする。
【０１００】
この点、図に示すように受信処理部３００ａは、受信処理部３００の構成に加えて、更にＦＦＴ３５０を含んでいる点で相違する。また、その他の各機能ブロックは符号の文末に「ａ」が付されているが、基本的に受信処理部３００に含まれる同名の機能ブロックと同等の動作を行う。そのため送信処理部２００ａ説明と同様に、以下では、受信処理部３００ａの。受信処理部３００とは異なる動作及びＦＦＴ３５０について説明をし、受信処理部３００と相違しない部分については、重複説明となるので説明を省略する。
【０１０１】
まず、図７を参照して、直交周波数分割多重方式に提供した場合の送信処理部２００ａの、送信処理部２００との相違点について説明をする。
【０１０２】
相違点として、周波数特性補正部２０６ａは、変調部２０４ａがフレームを変調することにより生成した送信信号の周波数特性を補正する際に、変調部２０４ａで周波数毎に振幅位相変調された信号に対して、送信側周波数特性係数に従い各周波数毎の信号の振幅と位相を補正する。
【０１０３】
また、他の相違点として、ＩＦＦＴ２５０は、選択器２０７ａが選択して出力した信号に対してＦＦＴの逆変換であるＩＦＦＴ（ＩｎｖｅｒｓｅＦａｓｔ  Ｆｏｕｒｉｅｒ  Ｔｒａｎｓｆｏｒｍ）を行ったうえで、ＲＦの為の信号処理２０８ａに出力をする。
【０１０４】
以上が、送信処理部２００ａの、送信処理部２００との相違点である。
【０１０５】
次に、図８を参照して、直交周波数分割多重方式に提供した場合の、受信処理部３００ａの、受信処理部３００との相違点について説明をする。
【０１０６】
まず、相違点として、ＦＦＴ部３０２ａは、ベースバンド信号ｄ５に対してＦＦＴを行い周波数領域の信号に変換する。変換後の信号はＦＦＴ結果ｄ１８として、復調部３０２ａと周波数特性解析判定部３１０ａとフレーム情報解析判定部３２０ａとに出力される。
【０１０７】
他の相違点として、復調部３０２はａ、ＦＦＴ結果ｄ１８の振幅、位相等の情報から元の情報を得る処理である。元の情報とは、図４の変調部２０４の入力信号に相当するもの、すなわち、フレーム構成部２０３で構成されたフレームである。得られた元の情報は復調後情報ｄ６として、復調後情報選択部３０３及びフレーム情報解析部３２０に対して出力される。
【０１０８】
更なる他の相違点として、周波数特性解析判定部３１０ａについて説明する。周波数特性解析部３１１ａは、ＦＦＴ結果ｄ１８から周波数特性情報を解析する。具体的には、送信側で予め既知周波数に既知の振幅・位相の基準信号を生成して受信側に送信し、受信側は基準信号のＦＦＴ結果ｄ１８を基準信号の既知周波数の振幅と位相として設定しておく。そして、その後、受信信号から得られるＦＦＴ結果ｄ１８のうちその既知周波数の振幅と位相の基準信号からの差分を元に、他の周波数の振幅と位相を補正する。
【０１０９】
更なる他の相違点として、信号対雑音比算出部３１５ａは、ＦＦＴ結果ｄ１８の信号対雑音比を計算する。具体的には、復調におけるエラーベクトル振幅を計算することにより、信号対雑音比とする。
【０１１０】
本実施例では、以上のようにすることにより、直交周波数多重方式による通信を行う通信装置に上述の実施形態を適用することができる。
【０１１１】
なお、上記の各通信装置のそれぞれは、ハードウェア、ソフトウェア又はこれらの組み合わせにより実現することができる。また、上記の各通信装置のそれぞれにより行なわれる通信方法も、ハードウェア、ソフトウェア又はこれらの組み合わせにより実現することができる。ここで、ソフトウェアによって実現されるとは、コンピュータがプログラムを読み込んで実行することにより実現されることを意味する。
【０１１２】
プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。
【０１１３】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【０１１４】
例えば、復調後情報選択部３０３は、送信側の通信装置が成り済まし接続を行っている可能性があるため復調後情報ｄ６を廃棄する場合に、単に廃棄するだけではなく、その旨を制御部１００に通知するようにしてもよい。そして、この場合に、成り済ましが発生していることを制御部１００がユーザに通知するようにしてもよい。
【０１１５】
更に、送信側において送信側周波数特性補正係数を用いて、周波数特性を適用的に変化させることにより信号対雑音比以外の、通信品質を表す指標を改善するようにしてもよい。
【０１１６】
更に、上述した実施形態の、構成を以下のようにしてもよい。
【０１１７】
図１の第１通信装置１は、図２のステップＡ１の認証フレームにおいて図５の信号対雑音比算出部３１５および送信側周波数特性補正係数算出部３１６によって送信側周波数特性補正係数ｄ１０を求める。
【０１１８】
前記第１通信装置１は、図２のステップＡ１の認証フレームにおいて、図５の期待周波数特性情報補正部３１３で、伝送路の周波数特性と信号対雑音比から求まる送信側周波数特性補正係数ｄ１０から期待周波数特性情報を求める。
【０１１９】
前記第１通信装置１は、図２のステップＡ１の認証フレームにおいて周波数特性情報ｄ７と送信側周波数特性補正係数ｄ１０から得られる期待周波数特性情報を期待周波数特性情報記憶部３１４に記憶する。
【０１２０】
前記第１通信装置１は、図２のステップＡ２の認証応答フレームにおいて、認証フレームＡ１で求めた送信側周波数特性補正係数ｄ１０を図１の第２通信装置２に通知する。
【０１２１】
図１の第２通信装置２は、前記認証応答フレームＡ２において、受信した送信元識別情報部ｆ２に紐づけて送信側周波数特性補正係数ｄ１を記憶する。
【０１２２】
前記第２通信装置２は、図２のステップＡ３の任意データフレームにおいて、宛先識別情報ｄ２を用い送信側周波数特性補正係数記憶部２０５から送信側周波数特性補正係数を読出し、周波数特性補正部２０６によって送信信号の適応的に周波数特性を変化させる。
前記宛先識別情報ｄ２とは、前記認証応答フレームの送信元識別情報ｆ２に相当する。
【０１２３】
このように構成した場合の、効果をもたらす手段の働きは以下の通りである。
【０１２４】
図１の第２通信装置２は、図２のステップＡ３の任意データフレームにおいて、送信側周波数特性補正係数を用い送信信号の周波数特性を変化させることで、図１の第１通信装置１の受信信号の信号対雑音比を改善させる働きをする。
【０１２５】
図１の第１通信装置１は、図２のステップＡ２の認証応答フレームにおいて、図５の期待周波数特性情報補正部３１３で、伝送路の周波数特性と信号対雑音比から求まる送信側周波数特性補正係数ｄ１０から期待周波数特性情報ｄ８を求めることにより、後に受信する任意データフレーム１０６の受信信号が成り済まし接続であるかを判定可能とさせる働きをする。
【０１２６】
そして、このような効果をもたらす手段の働きにより以下のような効果を奏する。
【０１２７】
まず、送信信号の周波数特性が適応的に変化する通信方式において、簡単な仕組みで成り済まし接続を検出することを可能とするという効果を奏する。その理由を述べる。任意データフレームの送信側の通信装置は、任意データフレームの送信時、送信側周波数特性補正係数ｄ１０を適用して送信信号の周波数特性を形成することにより、伝送路の周波数特性に適応することが可能となるからである。また、任意データフレームの受信側の通信器は、任意データフレームの受信時、期待周波数情報と任意データフレームの受信信号から得られる周波数特性を比較し、似ている度合を測ることにより成り済まし接続を検出することが可能となるからである。
【０１２８】
上記の実施形態の一部又は全部は、以下の付記のようにも記載されうるが、以下には限られない。
【０１２９】
（付記１）  送信側装置から受信した情報が、期待する通信相手が送信した情報であるか否かを判定する通信装置であって、
前記期待する通信相手との間の伝送路の周波数特性と、前記期待する通信相手が適応的に変化させた周波数特性とを合成した周波数特性を、期待周波数特性として記憶する記憶手段と、
前記受信した情報の周波数特性と、前記期待周波数特性とを比較し、該比較した両周波数特性が所定の度合い以上に似ていたならば、前記受信した情報が前記期待する通信相手から送信された情報であると判定する周波数特性判定手段と、
を備えることを特徴とする通信装置。
【０１３０】
（付記２）  前記受信した情報に基づいて前記送信側装置との間の伝送路における通信の通信品質を算出する算出手段と、
前記算出手段が算出した通信品質に基づいて、前記送信側装置が情報の送信時に周波数特性を適応的に変化させるための補正係数である周波数特性補正係数を算出する補正係数算出手段と、
前記送信側装置が前記周波数特性補正係数を用いた補正を行うために、前記周波数特性補正係数を前記送信側装置に送信する送信手段と、
を備え、
前記周波数特性補正係数は、該周波数特性補正係数を用いた補正を行うことにより、前記送信側装置との間の伝送路における通信の通信品質が改善する前記周波数特性補正係数であることを特徴とする付記１に記載の通信装置。
【０１３１】
（付記３）  前記受信した情報に含まれる認証用の認証情報に基づいて認証を行う認証手段を更に備え、
前記受信した情報には、該受信した情報の周波数特性を前記送信側装置が適応的に変化させたか否かを示す補正有無情報が含まれており、該補正有無情報が、前記送信側装置が適応的に変化させていないという情報の場合に、前記認証手段による認証を行い、該認証が成功した場合に、前記周波数特性補正係数を前記送信側装置に送信することを特徴とする付記２に記載の通信装置。
【０１３２】
（付記４）  前記周波数特性補正係数を送信側装置によって異ならせることを特徴とする付記２又は３に記載の通信装置。
【０１３３】
（付記５）  前記受信した情報に含まれる認証用の認証情報に基づいて認証を行う認証手段と、
前記周波数特性判定手段の判定結果が前記受信した情報が前記所定の送信側装置から送信された情報であるとの判定結果であり且つ前記認証手段による認証が成功したならば前記受信した情報を出力し、前記周波数特性判定手段の判定結果が前記所定の送信側装置から送信された情報でないとの判定結果であったか又は前記認証に失敗したならば前記受信した情報を廃棄する選択手段と、
を更に備えることを特徴とする付記１又は２に記載の通信装置。
【０１３４】
（付記６）  付記１乃至５の何れか１に記載の通信装置と、該通信装置に情報を送信する送信側装置とを備える通信システムであって、
前記送信側装置は、前記通信装置が前記期待周波数特性情報を得るために、所定の送信周波数特性の送信信号を送信し、
前記通信装置は、前記所定の送信周波数特性の送信信号に基づいて前記期待周波数特性情報を得ることを特徴とする通信システム。
【０１３５】
（付記７）  前記送信側装置は、前記通信装置から前記期待する通信相手からであると認証された旨の応答を得た後は、任意の情報を前記通信装置に対して送信し、
前記通信装置は、前記通信装置から前記期待する通信相手からであると認証された旨の応答を前記送信側装置に送信した後は、前記任意の情報を前記通信装置から受信することを特徴とする付記６に記載の通信システム。
【０１３６】
（付記８）  前記任意の情報の送受信開始後に、所定の契機に基づいて、前記通信装置による送信側装置が期待する通信相手が送信した情報であるか否かの判定を再度行うことを特徴とする付記７に記載の通信システム。
【０１３７】
（付記９）  送信側装置から受信した情報が、期待する通信相手が送信した情報であるか否かを判定する通信装置が行う判定方法であって、
前記期待する通信相手との間の伝送路の周波数特性と、前記期待する通信相手が適応的に変化させた周波数特性とを合成した周波数特性を、期待周波数特性として記憶する記憶ステップと、
前記受信した情報の周波数特性と、前記期待周波数特性とを比較し、該比較した両周波数特性が所定の度合い以上に似ていたならば、前記受信した情報が前記期待する通信相手から送信された情報であると判定する周波数特性判定ステップと、
を行うことを特徴とする通信装置。
【０１３８】
（付記１０）  送信側装置から受信した情報が、期待する通信相手が送信した情報であるか否かを判定する通信装置としてコンピュータを機能させるための通信プログラムであって、
前記期待する通信相手との間の伝送路の周波数特性と、前記期待する通信相手が適応的に変化させた周波数特性とを合成した周波数特性を、期待周波数特性として記憶する記憶手段と、
前記受信した情報の周波数特性と、前記期待周波数特性とを比較し、該比較した両周波数特性が所定の度合い以上に似ていたならば、前記受信した情報が前記期待する通信相手から送信された情報であると判定する周波数特性判定手段と、
を備える通信装置として前記コンピュータを機能させることを特徴とする通信プログラム。
【０１３９】
（付記１１）  期待される通信相手となる通信装置から、期待される通信相手かを判定する通信装置へデータ通信を行う通信システムであって、
期待される通信相手となる通信装置は、
周波数特性補正情報と送信元識別情報と認証情報とフレーム別任意情報とフレームタイプ別に必要な情報を入力情報とし、
認証情報とフレーム別任意情報を暗号化する機能と、
前記暗号化された情報と周波数特性補正情報と送信元識別情報とフレームタイプ別に必要な情報からフレームを構成する機能と、
前記フレームを変調する機能と、
送信側周波数特性補正係数に従い送信信号の周波数特性を補正する機能と、
周波数特性補正選択情報に従い前記周波数特性を補正した送信信号か、補正されていない信号かを選択する機能と、
ＲＦの為の信号処理の機能と、
宛先識別情報を元に、宛先別に送信側周波数特性補正係数を記憶する送信側周波数特性補正係数記憶部を有する。
【０１４０】
前記期待される通信相手かを判定する通信装置は、
受信信号をベースバンド信号処理部する機能と、
前記ベースバンド信号処理部した結果を復調する機能と、
前記復調結果から周波数特性補正が行われているか否かの情報を読み出す機能と、
前記復調結果から送信元識別情報を読み出す機能と、
前記復調結果から暗号化された認証情報を復号化する機能と、
復号化された認証情報を既知の認証情報と照合して、前記復調結果が期待する相手からの送信信号か否かを認証判定する機能を有する。
【０１４１】
（付記１２）  前記期待される通信相手かを判定する通信装置は、
前記認証判定で、期待する相手からの通信信号であると判定でき、かつ、周波数特性補正が行われているか否かの情報で周波数特性補正が行われていないという情報を得た場合に、
周波数特性を解析し、受信信号の周波数特性として伝送路の周波数特性情報を求める機能と、
信号対雑音比を推定する機能と、
送信側の周波数特性を補正するための補正係数を算出する機能と、
前記伝送路の周波数特性情報を前記送信側の送信側の周波数特性を補正するための補正係数に基づき、期待周波数特性情報を補正する機能と、
前記送信元識別情報と前記期待周波数特性情報を紐づけて記憶する機能と、
前記送信側の周波数特性を補正するための補正係数を期待される通信相手となる通信装置に、送信する機能を有する付記１１に記載の通信システム。
【０１４２】
（付記１３）  前記期待される通信相手かを判定する通信装置は、
前記認証判定で、期待する相手からの通信信号と判定でき、かつ、周波数特性補正が行われているか否かの情報で周波数特性補正が行われているという情報を得た場合に、
周波数特性を解析し、受信信号の周波数特性として伝送路の周波数特性と送信側の周波数特性を合成した周波数特性を求める機能と、
前記送信元識別情報に紐づく期待周波数特性情報を読み出し、読みだした期待周波数特性情報と前記受信信号の周波数特性と比較し、前記比較した特性が似ているか否かを判定する機能と、
前記比較した特性が似ていると判定されたときに、前記復調した結果が期待する相手からの送信信号と判定する機能を有する付記１１に記載の通信システム。
【０１４３】
（付記１４）  前記期待される通信相手となる通信装置は、前記期待される通信相手かを判定する通信装置が期待周波数特性情報を得るために、既知の送信周波数特性の送信信号を送信する機能を有する付記１１に記載の通信システム。
【０１４４】
（付記１５）  前記期待される通信相手かを判定する通信装置は、前記送信側の周波数特性を補正するための補正係数を前記期待される通信相手となる通信装置に送信する機能を有する。
【０１４５】
また、前記期待される通信相手かを判定する通信装置は、複数の期待される通信相手となる通信装置毎に分別して、送信側の周波数特性を補正するための補正係数を記憶する機能を有する付記１１に記載の通信システム。
【０１４６】
（付記１６）  期待される通信相手となる通信装置が、送信側周波数特性補正係数に従い送信信号の周波数特性を補正する機能を有することを特徴とする付記１１に記載の通信システム。
【０１４７】
（付記１７）  前記期待される通信相手となる通信装置は、任意のデータフレームを送信する機能を有する付記１１に記載の通信システム。
【０１４８】
（付記１８）  前記期待される通信相手となる通信装置は、規定時間や、規定する前記任意のデータフレームの送信回数、前記期待される通信相手となる通信装置からの指示を契機に、再度、付記１３の処理を行う機能を有する付記１１に記載の通信システム。
【符号の説明】
【０１４９】
１  第１通信装置
２  第２通信装置
３  第３通信装置
４  第４通信装置
Ｎ  第Ｎ通信装置
１００、１００ａ  制御部
２００、２００ａ  送信処理部
２０１、２０１ａ  結合部
２０２、２０２ａ  認証情報暗号化部
２０３、２０３ａ  フレーム構成部
２０１、２０４ａ  変調部
２０５、２０５ａ  送信側周波数特性補正係数記憶部
２０６、２０６ａ  周波数特性補正部
２０７、２０７ａ  選択器
２０８、２０８ａ  ＲＦの為の信号処理部
２５０  ＩＦＦＴ
３００、３００ａ  受信処理部
３０１、３０１ａ  ベースバンド信号処理部
３０２、３０２ａ  復調部
３０３、３０３ａ  復調後情報選択部
３１０、３１０ａ  周波数特性解析判定部
３１１、３１１ａ  周波数特性解析部
３１２、３１２ａ  周波数特性判定部
３１３、３１３ａ  期待周波数特性情報補正部
３１４、３１４ａ  期待周波数特性情報記憶部
３１５、３１５ａ  信号対雑音比算出部
３１６、３１６ａ  送信側周波数特性補正係数算出部
３２０、３２０ａ  フレーム情報解析判定部
３２１、３２１ａ  周波数特性補正有無情報読出部
３２２、３２２ａ  送信元識別情報読出部
３２３、３２３ａ  認証情報暗号復号化部
３２４、３２４ａ  認証情報判定部
３５０  ＦＦＴ
【図１】
2019071676.tif 000003
【図２】
2019071676.tif 000004
【図３】
2019071676.tif 000005
【図４】
2019071676.tif 000006
【図５】
2019071676.tif 000007
【図６】
2019071676.tif 000008
【図７】
2019071676.tif 000009
【図８】
2019071676.tif 000010